(57)【要約】本発明は、流動物または粉末状の物質（Ｓ）を人に対して投与または摂取し、特に医薬物質及び／又は食物を子供に対して投与または摂取するための装置に関する。装置は、投与すべき物質（Ｓ）を受け取る受取部（２）と、該受取部（２）に連結され、物質（Ｓ）を個々に分配する分配開口部（８）を備えた分配部（４）を有している。装置（１）は、少なくとも一部に当該投与に機能的に関連しない外部形状を備えている。さらに本発明は、装置の交換部材、並びに薬剤及び／又は食物を子供に対して投与するための装置の使用法に関する。
2005527265.tif 000002
【特許請求の範囲】
【請求項１】
流動性の物質または粉末状の物質（Ｓ）を人に対して投与または摂取し、特に医薬物質及び／又は食物を子供に対して投与または摂取するための装置であって、
投与すべき物質（Ｓ）を受け取る受取部（２）と、
該受取部（２）に連結され、物質（Ｓ）を人に分配する分配開口部（８）を備えた分配部（４）と、を有し、且つ
当該装置（１）の少なくとも一部は、当該投与に機能的に直接関連しない外部形状を有していることを特徴とする装置。
【請求項２】
外部形状は、子供に対して魅力的に構成されている請求項１に記載の装置。
【請求項３】
外部形状は、動物、漫画の人物または空想創造物の外観に対応している請求項１または２に記載の装置。
【請求項４】
構成部材（１９ａ、１９ｂ）、特に動物、漫画の人物または空想創造物の四肢及び／又はその他の本体部品は、簡易な方法で掴んで当該装置をしっかりと保持可能に構成されている請求項１〜３のいずれか１項に記載の装置。
【請求項５】
分配開口部（８）は、動物、漫画の人物または空想創造物の一部である請求項１〜４のいずれか１項に記載の装置。
【請求項６】
分配開口部（８）は、人の口（Ｍ）に導入されるように構成され、人の唇は分配開口部（８）を取り囲む請求項１〜５のいずれか１項に記載の装置。
【請求項７】
分配部（４）の分配開口部（８）と、受取部（２）への物質（Ｓ）、挿入体（１０；１１０；３５）及び／又は容器（２５）を導入するための受取部（２）の受取開口部（６）とは同一でない請求項１〜６のいずれか１項に記載の容器。
【請求項８】
受取部（２）及び／又は分配部（４）は、実質的に外側から認識できないように装置に配置される請求項１〜７のいずれか１項に記載の装置。
【請求項９】
受取部（２）および分配部（４）は、一構成要素として、または別個の構成要素として構成されている請求項１〜８のいずれか１項に記載の装置。
【請求項１０】
受取部（２）および分配部（４）は、相互に非ポジティブに接続され、特にクランプ接続、プラグ接続、スクリュウ接続または差し込み接続される請求項１〜９のいずれか１項に記載の装置。
【請求項１１】
物質（Ｓ）および該物質を含む容器（２５）が充填され、または挿入される第１の挿入体（１０；１１０；３５）を受取部（２）に挿入する請求項１〜１０のいずれか１項に記載の装置。
【請求項１２】
分配部（４）に挿入される第２の挿入体が設けられ、該第２の挿入体を通って物質（Ｓ）が分配開口部（８）に移る請求項１１に記載の装置。
【請求項１３】
第１の挿入体（３５）および第２の挿入体（３７）を相互に非ポジティブに接続し、特にクランプ接続、プラグ接続、スクリュウ接続または差し込み接続する請求項１１または１２に記載の装置。
【請求項１４】
受取部（２）および分配部（４）は、これらを実質的に取り囲むプラスチックによって、好ましくは射出成形法、ブロー成形法または回転成形法を用いてポジティブまたは非ポジティブに接続されている請求項１〜１３のいずれか１項に記載の装置。
【請求項１５】
受取部（２）、分配部（４）および外部形状を含む当該装置の一部は、一体に構成されている請求項１〜１４のいずれか１項に記載の装置。
【請求項１６】
物質（Ｓ）と接触する装置の表面は、耐食物性材料から構成されている請求項１〜１５のいずれか１項に記載の装置。
【請求項１７】
受取部（２）、分配部（４）、及び／又は該受取部（２）及び／又は分配部（４）に用いる１個以上の挿入体（１０；１１０；３５、３７）は、下記の材料：ガラス、磁器、アルミニウム、細粒スチール、プラスチックのいずれか１種から作製される請求項１〜１６のいずれか１項に記載の装置。
【請求項１８】
外部形状を含む装置の構成要素は、下記の材料：プラスチック、セルロース、セラミック材料、木材、細粒スチール、アルミニウムのいずれか１種から実質的に作製されている請求項１〜１７のいずれか１項に記載の装置。
【請求項１９】
受取部（２）を可逆的に閉鎖する第１の閉鎖部（７；７０；１７０；２７０）が設けられている請求項１〜１８のいずれか１項に記載の装置。
【請求項２０】
分配開口部（８）を可逆的に閉鎖する第２の閉鎖部（５）が設けられている請求項１９に記載の装置。
【請求項２１】
第１の閉鎖部及び／又は第２の閉鎖部（７；７０；１７０；２７０；５）は、蓋、栓、移動可能な閉鎖装置として、または自己閉鎖装置として構成されている請求項１９または２０に記載の装置。
【請求項２２】
第１の閉鎖部および第２の閉鎖部（７；７０；１７０；２７０；５）はそれぞれ第２の閉鎖部および第１の閉鎖部に組み込まれている請求項１９〜２１のいずれか１項に記載の装置。
【請求項２３】
閉鎖容器（２５）に含まれる液体並びに気体の物質（Ｓ）を投与可能に構成されている請求項１１〜２２のいずれか１項に記載の装置。
【請求項２４】
受取部（２）を種々の閉鎖部で閉鎖し、そのうち、一の閉鎖部（１７０；２７０）を液体の物質（Ｓ）の分配に用い、他の閉鎖部（７０）を、受取部（２）に挿入される挿入体（１１０；３５）または容器（２５）から得られる気体の物質（Ｓ）の分配に用いる請求項１１〜２３のいずれか１項に記載の装置。
【請求項２５】
第１の閉鎖部及び／又は第２の閉鎖部（７０；５）並びに挿入体（１１０）および容器を相互に接続可能に、または一体に構成されている請求項１１〜２４のいずれか１項に記載の容器。
【請求項２６】
物質（Ｓ）を受取部（２）、挿入体（１１０；３５）及び／又は容器（２５）から分配開口部（８）に輸送する輸送装置（２０；２２０）が設けられている請求項１１〜２５のいずれか１項に記載の装置。
【請求項２７】
輸送装置（２０；２２０）は、スタンプ（２４）またはピストン（２２４）を含むポンプ機構を備えている請求項２６に記載の装置。
【請求項２８】
輸送装置（２０；２２０）は、少なくとも部分的に第１の閉鎖部または第２の閉鎖部（７；７０；１７０；２７０；５）に組み込まれている請求項２６または２７に記載の装置。
【請求項２９】
輸送装置（２０；２２０）を、受取部（２）に導入される容器（２５）または挿入体（１１０；３５）と連結し、容器（２５）または挿入体（１１０；３５）から得られる物質を輸送装置（２０；２２０）の稼働時に、そこで開放された流入孔（１２；１１２）、次に分配開口部（８）を介して投与する請求項２６〜２８のいずれか１項に記載の装置。
【請求項３０】
受取部（２）の壁部は、圧縮によって物質（Ｓ）を少なくとも部分的に分配開口部（８）に輸送可能な弾性をもって構成される請求項２６〜２９のいずれか１項に記載の装置。
【請求項３１】
分配部（４）は、受取部（２）と分配開口部（８）を相互に接続する中空の配管（９）を備えている請求項１〜３０のいずれか１項に記載の装置。
【請求項３２】
当該装置（１）が水平面上に載置された場合に、中空の配管（９）は、分配開口部（８）に対して少なくとも部分的に上方に向かって延在している請求項３１に記載の装置。
【請求項３３】
分配開口部（８）からの物質の望まない排出を防ぐ流量調節手段（３０；２７；１２８）が設けられている請求項１〜３２のいずれか１項に記載の装置。
【請求項３４】
流量調節手段（３０）は、物質の分配方向に圧力及び／又は吸引によって開口されている請求項３３に記載の装置。
【請求項３５】
流量調節手段（３０）は、圧力及び／又は吸引によって偏向可能な薄膜として構成され、好ましくは中空の配管（９）に配置されている請求項３３または３４に記載の装置。
【請求項３６】
流量調節手段（３０；２７；１２８）は、手動での作動によって開放可能なバルブ（２７，１２８）によって形成されている請求項３３または３４に記載の装置。
【請求項３７】
投与すべき物質を挿入体（１０；１１０）または容器（２５）から分配開口部（８）に誘導する封止手段（３２）が設けられている請求項１１〜３６のいずれか１項に記載の装置。
【請求項３８】
封止手段（３２）は、受取部（２）の内壁および挿入体（１０；１１０）または容器（２５）の外壁上に設けられたＯリングとして構成されている請求項３７に記載の装置。
【請求項３９】
当該装置（１）が水平面上に載置された場合、受取部（２）に物質（Ｓ）が上方から充填される請求項１〜３８のいずれか１項に記載の装置。
【請求項４０】
針部または過圧によって物質（Ｓ）を注入するための射出装置が分配開口部（８）近傍に設けられている請求項１〜３９のいずれか１項に記載の装置。
【請求項４１】
再利用可能であり、且つ耐洗浄機性を示す請求項１〜４０のいずれか１項に記載の装置。
【請求項４２】
請求項１〜４１のいずれか１項に記載の装置での交換に用いられ、交換可能な受取部（２）、交換可能な分配部（４）、交換装置（２）及び／又は分配部（４）用の交換可能な挿入体（１０；１１０；３５；３７）または交換可能な閉鎖部（５；７；７０；１７０；２７０）として構成される交換部材。
【請求項４３】
請求項１〜４１のいずれか１項に記載の装置を、子供に医薬物質を投与するために使用する方法。
【請求項４４】
請求項１〜４１のいずれか１項に記載の装置を、子供に食物を与えるために使用する方法。
【発明の詳細な説明】
【技術分野】
【０００１】
本発明は、流動性の物質または粉末状の物質を人に対して投与または摂取し、特に医薬物質及び／又は食物を子供に投与または摂取するための装置に関する。
【背景技術】
【０００２】
流動性の物質を投与し、または摂取するのは多くの方法で行うことができる。例えば、液状の医薬品の経口投与の場合、一般家庭のスプーンまたは計量カップが用いられる。これらの装置は、極めて機能的な性質を有している。肝油または医薬品等の苦みのある物質の場合、両親または医療従事者は、子供に薬剤を摂取させるのが屡々困難である。気体またはエーロゾルの状態の薬剤または注射剤であっても、同様に困難である。これに関して、子供に対して正しく行う必要があり、且つ教育学的に価値ある投与方法が不足している。例えば、パンがゆまたはその他の食料品を子供に食べさせることでさえ、種々の性質に基づき、屡々極めて困難である。
【発明の開示】
【０００３】
本発明の目的は、簡易な手段で流動物または粉末状の物質の人、特に子供に対する投与を改良することにある。
【０００４】
上記課題は、冒頭に示された装置が、投与すべき物質を受け取る受取部（受取装置）と、該受取部に接続され、人に対して物質を分配するための分配開口部を含む分配部（分配装置）とを備え、当該装置が、少なくとも一部に当該投与に機能的に直接関連しない外部形状を設けるという点において解決された。
【０００５】
受取部は、物質を直接的または間接的に受け取ることができる。後者の例に関して、受取部が物質を受け取るための挿入体または容器を受け入れ可能であるか、または容器（この中に物質が含まれている）を受け取るための挿入体を受け入れ可能であることを意味している。
【０００６】
装置は、受取部とこの受取部に連結される分配部とを有し、少なくとも一部が直接機能的に構成されていない立体構造の装置を本発明により組み合わせることによって利用可能に作製され、且つ当該装置は、特に液体、気体及び／又は粉末またはエーロゾルの状態の医薬生成物の投与に一般に適している。特に子供に対して魅力的な形状の装置を設計して構成する場合、子供が装置を意図的なものと認めない、すなわち、彼等にとって良好でない味のする物質の投与に直接的に結び付けられないように、抑制限界とこの種の物質または食物の摂取に対する抵抗を下げて、装置に対して子供を感情的に結び付けることができる。
【０００７】
物質の口径投与に変わるものとして、装置を、例えばインスリンまたはワクチンの注射（注入）に用いることもできる。この例示の場合、注入装置が針部または過圧によって物質を注入するための分配開口部近傍に設けられる場合に有利である。
【０００８】
少なくとも一部に子供に対して魅力的な形状を有する装置を設計するのが特に有効である。この例として、動物の形で設計する。特に、小さな子供は、所定の動物の形、例えば象、熊、キリンおよび猿に対して強く引きつけられると感ずる。したがって、動物の世界に由来する形状を選択するのが重要である。その代わりに、漫画の人物または空想創造物の外観、例えばミッキーマウス、ドナルドダッグ、テレタビー等の知られた形を用いることも可能である。果物、モデルカー等の形の形状も可能である。
【０００９】
かかる形状が装置を容易に掴み、そしてしっかりと保持するようにする構成要素を有している場合、疑わしい物質の簡易な投与を促進する。特に好ましい実施の形態において、動物、漫画の人物または空想創造物の四肢及び／又はその他の本体部品がこのために役立つことがある。例えば、動物を用いる場合、大人または子供自身が動物の二本の足もしくは首の領域を掴むことができる。
【００１０】
分配開口部は当該人の口に導入されるように設計されるのが特に好ましい。特に、子供の場合、分配開口部と直接接触することにより、抑制限界の克服を促進することができる。子供の唇が分配開口部を取り囲むことができる場合、一方で、有効な吸引反射作用（suction reflex）を利用することができ、他方で、清潔で、滴の落ちない投与を可能にする。例えば、分配開口部を、象の鼻または動物の鼻として設計することができる。しかしながら、本発明の装置を注入のために設計する場合でさえ、分配開口部を、動物、漫画の人物または空想創造物の本体部により形成して、注入（注射）に対する子供の不安を低減することができる。
【００１１】
一方で、物質を分配し、他方で、物質を受け取り、そして導入するための開口部、該受取部への挿入体及び／又は容器は、同一でないのが特に好ましい。かかる設計（構成）により、良好な取り扱いを促進する。なぜなら、挿入体及び／又は容器は、例えば比較的広い受取開口部を介して簡易な方法で受取部に導入可能であるのに対し、投与は狭い分配開口部を介して行うことができるからである。この例示において、以下にさらに詳細に説明されるように、大人によって物質を簡易且つ正確に投与することができる。他方で、同一の受取開口部および分配開口部の変形体は、一般に、容易に作製される。
【００１２】
機能面が視覚面および感情に訴える部分より大きく隠れ、そして装置が分配装置よりむしろ玩具として認識されるようにするため、受取部または分配部、特にこれらの両方が実質的に外側から認識できないのが特に好ましい。
【００１３】
本発明の有利な実施の形態において、受取部および分配部は、一体に設計されるので、特に容易に作製される。これにより、これらの受取部および分配部の間に存在するであろう接続部で析出物が形成するのを防ぐ。
【００１４】
あるいは、これらの二部（受取部、分配部）は、相互に非ポジティブに接続され、特にクランプ接続、プラグ接続、スクリュウ接続または差し込み接続で接続され得る別個の部品（構成要素）として設計される。したがって、残りの装置部品を適当に設計することにより、例えば、損傷、過度の汚染等を受けた場合に、装置全体を廃棄する必要なく、必要によりこれらの二部を相互に分離し、そして別々に、または同時に、交換することができる。
【００１５】
第１の挿入体を受取部に挿入することも可能であり、その挿入体は、投与すべき物質またはその物質を含む容器を受け入れることができる。また、第２の挿入体を分配部に挿入することができ、この挿入体を通って、物質を分配開口部に移すことができる。これらの実施の形態において、受取部および分配部を装置に常時組み込むのが好ましく、一方、第１の挿入体および第２の挿入体は交換されて、装置の管理を容易にする。例えば、種々の挿入体を投与すべき種々の物質に用いることができる。挿入体を洗浄する必要がある場合、装置全体を洗浄知る必要は必ずしもない。第１の挿入体及び／又は第２の挿入体が損傷を受けた場合でさえ、これらを交換する必要はない。
【００１６】
第１の挿入体および第２の挿入体は、相互に非ポジティブに接続可能であり、特にクランプ接続、プラグ接続、スクリュウ接続または差し込み接続されるのが好ましい。
【００１７】
あるいは、第１の挿入体および第２の挿入体を一体に設計して、受取部および分配部に挿入し、一緒に取り除くことができる。
【００１８】
受取部および分配部は、これらを実質的に完全に取り囲む（例えば、物質を充填し、そして分配するための開口部、容器または挿入体を挿入するための開口部等を除く）プラスチックでポジティブに、そして非ポジティブに接続され、且つプラスチックは、射出成形法、ブロー成形法または回転成形法でこれらの二部の周囲に施される。道具に対してネガティブなのは、本発明の装置の立体形状に有利に対応する。
【００１９】
本発明の代わりの変形体において、受取部、分配部および外部形状を含む装置の一部は、概して一体に設計される。この極端で且つ最も簡易な場合において、本発明の装置は、以下にさらに説明されるであろう挿入体及び／又は閉鎖部を無視できる場合に、僅かに１種類の構成要素から構成することができる。この例示の場合、受取部および分配部を装置の内壁から形成する。
【００２０】
その他に、装置は、中空の本体部として実質的に設計され、この中で受取部および分配部が、例えば、吊り下げられ、または把持される。中空の本体部は、例えば、実質的に剛体に、または膨張性に設計することができる。
【００２１】
投与すべき物質と接触させる装置の表面を耐食物性に構成するのが有利であり、好ましい。したがって、物質が直接充填される受取部、並びに分配部及び／又は１以上の、受取部及び／又は分配部のための挿入体に、耐食物性材料の適当な接触面が少なくとも設けられている。この目的のために、好適な被覆（法）を用いることができる。あるいは、固体の材料を用いることができ、例えば、ガラス、磁器及び／又は適当なプラスチックを用いることができる。アルミニウムまたは高細粒スチールも使用することができる。
【００２２】
しかしながら、装置全体では、１種以上の上述の材料から作製されることも可能である。
【００２３】
あるいは、物質と接触させない装置要素（装置材料）は、完全に耐食物性ではない材料から構成され、例えば、適当なプラスチック、セルロース、セラミック材料、木材等から構成される；しかしながら、細粒スチールおよびアルミニウムを含む金属を用いることも可能である。外部形状を有する装置部品は、投与すべき物質との適当な接触をしない限り、これらの材料から実質的に作製されるのが特に有利である。
【００２４】
受取部は、可逆的に閉鎖可能な方法で第１の閉鎖部を具備するように設計され得るのが特に有利である。この第１閉鎖部は、特に受取部の受取開口部または充填開口部を閉鎖して、物質あるいは該物質を含む挿入体または容器（すなわち、受取部または適当に設計された挿入体に導入される）がこの方法で流れ、または装置から脱離できないようにすることができる。
【００２５】
可逆的に閉鎖可能な第２の閉鎖部を具備する分配開口部を設計することも可能である。これにより、装置に依然として含まれる流体が流れ出るのを有効に防ぐことができる。その他の投与時に、第２閉鎖部を再び取り除くことができる。
【００２６】
第１及び／又は第２の閉鎖部は、蓋、栓、移動可能な閉鎖装置として、または自己閉鎖装置として設計されるのが好ましい。例えば、蓋を縫い取ることができる。ボタンまたはスイッチ等を作動させることによって、第１の閉鎖部または第２の閉鎖部を交互に開口及び／又は閉鎖することができる。閉鎖部は、円形もしくは方形の形、またはその他の適当な形を有することができる。おしゃぶり等として設計することも可能である。
【００２７】
上述の受取部の受取開口部が分配部の分配開口部と同一である場合、第１の閉鎖部および第２の閉鎖部は同一であっても良い。
【００２８】
第１の閉鎖部及び／又は第２の閉鎖部を第２の閉鎖部及び／又は第１の閉鎖部に組み込むことも可能である。例えば、第１の閉鎖部をネジ巻き可能な蓋として設計可能であり、これにおいて、例えば、移動可能または回転可能な第２の閉鎖部は、分配開口部を開放および閉鎖するために組み込まれても良い。かかる設計は、例えば、子供用の市販の飲料ボトルにより知られている。
【００２９】
本発明の装置は、液体並びに気体の物質の投与のために設計されるのが特に好ましい。このために、受取部を種々の閉鎖部で閉鎖可能であり、この場合、一の閉鎖部を液体物質の分配に用い、他の閉鎖部を、受取部に挿入される気密容器から得られる気体物質の分配に有利に用いることができる。さらに、液体を投与する場合、受取部に直接的に配置するか、または交換可能な挿入体も容器に配置することも可能であり、一方、気体容器に配置されて、投与すべき気体の物質を、適当に採用される挿入体に導入するか、または受取部に直接導入することができる。
【００３０】
さらに、第１及び／又は第２の閉鎖部並びに挿入体または容器を相互に接続することができ、例えば、相互にプラグ接続して、かかる組み合わせを全装置として、受取部または分配部に導入することができる。あるいは、第１又は第２の分配部および挿入体または容器を一体に設計する。
【００３１】
本発明の装置は、使用者によって積極的に作動させるときに、投与すべき物質を分配開口部に輸送する輸送装置を備えるのが好ましい。さらに、特に最も多い例示として医薬品を投与する場合、分配すべき量を正確に服用させる必要がある。したがって、輸送装置で適当に服用させることができる。
【００３２】
これに関して有効である本発明の実施の形態において、輸送は、ポンプ機構によって具現化可能である。かかる機構は、例えば、喘息患者によって用いられる吸入用器具として知られている。
【００３３】
例えば果肉質の食べ物を投与する場合、輸送装置は、特に受取部内で移動可能であり、手動で操作可能なピストンとして設計可能である。
【００３４】
受取部の壁部が軟質に設計されたことにより、圧力によって適当な負荷がかけられ、好ましくは指で力を働かせるときに、投与すべき物質が、分配開口部を介して受取部から漏れ出るような場合、その他のポンプ機構を実現可能である。
【００３５】
有利な実施の形態において、輸送装置を少なくとも部分的に第１の閉鎖部に組み込む。例えば、稼働要素が第１閉鎖要素を通り越して延在し、そして稼働要素を押下して、物質を投与することができる。かかる動作時に、受取部に挿入される容器の一部または容器全体を下方に移動させて、好ましくは容器の底部に在る開口部を開放し、これを通って、エーロゾルが容器から出て行くことができ、そして分配開口部を介して口径投与される。かかるポンプ機構に、一般に公知の種々の構造（物）を用いることができる。これに関して、例えば、喘息用の薬剤についての上述の摂取のために用いられる公知のエーロゾル容器が特記に値する。
【００３６】
分配部が、受取部と分配部を相互に接続する中空の配管を備える場合、装置の立体外観について、複数の形状を展開することができる。本発明の装置が象の形状を有する場合、例えば、中空の配管を象の鼻に設けることができる。これは、中空の配管が、受取部に挿入可能な挿入体及び／又は容器の間と、分配開口部の間との接続を確立する実施の形態を包含する。
【００３７】
装置からの流出による残留液体を防ぐために、中空の配管は、装置が水平面上に載置される場合、分配開口部に対して少なくとも部分的に上方に向かって走るように設計される。この例において、分配開口部の前面に直接配置される少なくとも導管部がこの上方に向かった経路を有している可能性がある。液体の物質を用いる場合、物質の残留量は、前方で漏れ、または落下することができない。
【００３８】
あるいは、またはさらに、装置に配置される少なくとも１種の流量調節手段を設けて、分配開口部からの物質の望まない流出を防止する。かかる流量調節手段は、本発明の好ましい実施の形態において、圧力及び／又は吸引によって開口されて、物質を分配開口部の方向に流すことができる。圧力または吸引の作用がない場合、流量調節手段は、物質の分配を妨げる。例えば、分配開口部を口に導入し、その後に、吸い込むことによって吸引作用を利用することができる。圧力による負荷は、例えば、上述のポンプ機構によって実現可能である。
【００３９】
本発明の特定の実施の形態において、流量調節手段は、圧力及び／又は吸引によって偏向され、そして好ましくは中空の配管に配置され得る薄膜（軟質の板状のようなもの）に設計される。この膜は、例えば、一方側からフライス削りによって中空の配管を作製し、そして他方の側から受取部を作製する間に、これら二部の間の分離要素（分離構成要素）として、手を付けられない状態とすることができる。
【００４０】
あるいは、特に手動によって動作可能な流量調節手段を実現可能であり、例えば、中空の配管を妨害可能である、例えばスライド（スベリ弁）が可能である。同様に、流量調節手段は、上述の輸送装置に組み合わせることも可能である。輸送装置を作動させる場合、例えば、バルブを開放することができる。
【００４１】
投与すべき物質が受取部の望まない位置に移動するのを防ぐ封止手段（シール手段）を設けることも有効である。かかる位置は、物質が受取部の壁部と直接接触しないように挿入体または容器を使用する場合、特に受取部に存在し得る。その後、物質が最短の通路を介して分配開口部に移動し、そして受取部に配送されないか、またはひび（引っ掻き傷）に漏れないようにすることを保証するのが目的である。したがって、例えば一方で、受取部の内壁上に在り、他方で、挿入体または容器の外壁上に設けられたＯリングを使用するのが有効である。
【００４２】
装置を操縦する簡易な手段は、装置が水平面上に載置されるときに受取部またはこれに挿入される容器もしくは挿入体に上方から物質を充填可することができる場合、実現可能である。
【００４３】
装置全体を耐洗浄機性で且つ再利用可能に設計するのが特に有利である。これは、一方で、装置の簡易な操作と洗浄を保証する。他方で、特定の形または装置に対する子供の永久的な感情の結びつきを発展させることができる。
【００４４】
受取部、分配部として、及び／又はこれらの装置の挿入体として設計可能である上述の交換部材は、本発明の別の側面を示している。閉鎖部でさえ、交換可能な部品またはさらに別の部品もしくは付属品として設計可能である。損傷を受け、または人目につかない場合、上述の部品を取り除き、装置全体を捨てる必要なく新たな挿入体と交換することができる。
【００４５】
同様に、医薬物質及び／又は食物を子供に対して投与するのに用いられる上述の装置の使用法は、本発明の構成要素である。
【００４６】
本発明のその他の有効な実施の形態は、サブクレームの特徴によって特徴付けられる。
【００４７】
本発明を、以下の図面を用いてさらに詳細に説明する。
【００４８】
図１〜図４は、本発明による装置の種々の図を示している。
【００４９】
図５、図６は、本発明の装置の部分断面についての側面図および斜視図を示している。
【００５０】
図７、図８は、挿入体に挿入される気体容器と輸送装置を備える本発明による装置の一部についての断面図を示している（非稼働状態：図７；稼働状態：図８）。
【００５１】
図９は、図７および図８による挿入体を示している。
【００５２】
図１０、図１１は、挿入体に挿入される液体の物質と、輸送装置を含む本発明による装置の一部の断面を示している（非稼働状態：図１０；稼働状態：図１１）。
【００５３】
図１２は、受取部に用いる挿入体と、分配部に用いる挿入体を備える本発明による装置の一部の断面を示している。
【００５４】
図１３は、ピストンを取り囲む輸送装置を備える本発明による装置の一部の断面を示している。
【００５５】
図１〜図４は、座っている象の外観を有する種々の観点から見た本発明による装置１を示している。図１において、装置１は、手によって掴まれているように示されており、手の指により、象の前足１９ａと、首および耳の領域１９ｂを掴んでいる。図３に概略的に示され、実質的に円筒形に設計された受取部２が、象の頭の領域に配置されている。実質的に水平の中空の配管９は、受取部２の下側領域から出発して、象の鼻の中を延在し、そしてその自由末端に分配開口部８を設けている。受取部２の上側領域の受取開口部６は、第１の閉鎖部７で可逆的に閉鎖可能である。閉鎖部７を取り除くと、受取部２に、液体の物質を充填することができる。あるいは、気体容器を受取部２に挿入し、これに、適当に設計された装着装置３を設ける（概略的に示してあるだけである）。
【００５６】
輸送装置２０を第１の閉鎖部７に組み込み、これを用いて装置は、所定量の物質を受取部またはこれに挿入される容器から中空の配管９および分配開口部８を介して投与することができる。分配開口部８の前面に直接配置される中空の配管部９ａは、装置１が水平面上に載置された場合に斜めの方向に延在して、物質が装置１から流出及び／又は落下するのを防いでいる。
【００５７】
図３は、本発明による特に好ましい実施の形態により、口径投与が行えることを概略的に示したものである。図示の例において、子供は象の鼻１９ｃを子供の口Ｍに取り込むと共に、概略的に示されている子供の唇は、分配開口部を含む象の鼻１９ｃを取り囲む。必要により、投与中に装置１を顔の方に向けて傾かせて、特に液体の物質を完全に口Ｍに移動させることができる。
【００５８】
図５および図６に示されている装置１は、図１〜４の形態とほぼ同様の形態に設計されている。第１の閉鎖部７は、シールリング７ａをその周囲の底部に備え、そのリングは、受取部２の受取開口部６をシールし、そして閉鎖部７に信頼性のあるシールを与えている。第２の閉鎖部５がおしゃぶりとして設計され、バンド、鎖等として設計される紛失防止具５ａ（本実施の形態において首ひも）によって象の本体に接続されている。
【００５９】
第１及び／又は第２の閉鎖部７、５は、受取開口部６または分配開口部８の領域に外側ネジ切りまたは内側ネジ切りにねじ込むことができる内側または外側のネジ留め部を備えている。その他の閉鎖部も可能であり、例えば、移動し、係合し、またはその他の動作で閉鎖および開放可能な閉鎖部である。
【００６０】
受取部２および分配部４は、図５、図６に示されている具体的な実施の形態により一体に設計され、耐食物性材料、好ましくは適当なプラスチック、高細粒スチールまたはアルミニウムから有利に作製される。あるいは、受取部２および分配部４の内側表面に、耐食物材料の被膜を形成することも可能である。
【００６１】
プラスチック材料１７を、受取部２および分配部４の周囲にポジティブに且つ非ポジティブに配置する。プラスチック１７は、本発明の装置１の外観を有する、すなわち、本例示における象の玩具の外観を有する。プラスチック１７は、射出成形法、ブロー成形法または回転成形法によって受取部２および分配部４の周囲に施されるのが好ましい。比較的軟質なプラスチックを用いて、象のような形の装置が明かとなり、子供の感情に良好に訴えるようにするのが好ましい。
【００６２】
図７および８は、本発明による装置の断面を示し、象の形に設計され、気体の物質８を投与するために用いられる。実質的に円筒状の挿入体１０が受取部２に挿入され、この中に、実質的に挿入体と同様の円筒形の気体用容器２５が載置される。投与すべき物質Ｓ、例えばエーロゾルは、気体用容器２５に閉じ込められる。さらに、輸送装置２０が第１の閉鎖部７０に組み込まれて、物質Ｓを積極的に、必要により正確な服用量で投与することができる。第１の閉鎖部は、受取部２の上側縁部に示されているところにネジ留めされる（概略的に示されているだけである）。
【００６３】
図９は、挿入体１０を正確に示したものである。頂部を開放して、容器２５を挿入可能にする。さらに、挿入体１０は、挿入体１０の下側縁部１５のちょうど上側に中間底部１４を備えている。この中間底部１４は、有利に低くされている中央の開口部１２を含んでいる（この低くされた開口部１２を有する中間底部１４は、図３に概略的にのみ示されている装着装置３に対応する）。凹部１３が、中間底部１４と下側縁部１５の間の壁部に設けられている。さらに、挿入体１０の縦方向に間隔おいて設けられ、内方に向いている２個の環状溝１１が、中間底部１４の上側に設けられている（図７、８を参照されたい；明瞭化のため図９において省略されている）。
【００６４】
気体用容器２５は、好ましくは市販されている気体またはエーロゾルが充填され、例えば喘息用噴霧器で充填されるものであり、挿入体１０に挿入されるように設計されている。容器２５の下側縁部２６は、円周側で広くされて、挿入体１０の２個の環状溝１０の内径より僅かに広くなっている。したがって、容器２５は、僅かな力を施して、挿入体１０の内側および外側に挿入されて（および取り除かれて）、広くされた縁部２６が上側の環状溝１１により規定される狭い箇所に耐えることができるようにする必要がある。その後、容器２５は挿入体１０に供給されて、そこで、容器２５の自由な活動範囲は２個の環状溝１１の間隔によって軸方向に与えられる。容器２５は、中央バルブ２７を底部に備え、加圧下に開放し、そして気体物質Ｓを漏れ出ることができるようにする。バルブ２７は、容器２５が挿入されたときに、中央で且つ中間底部１４の開口部１２の上側に配置される。
【００６５】
上述の輸送装置２０を設けて、物質Ｓを投与する。図７、８による具体的な実施の形態において、輸送装置２０は、他方の自由末端がスタンプ２４に固定されているロッド２２に接続される押しボタン２１を備えている。ロッド２２は、第１の閉鎖部７０の中央凹部に延在し、螺旋状のバネ２３によって上部で取り囲まれている。バネ２３は、押しボタン２１に対して下側からの圧力を作用させるために働き、そして閉鎖部７０の凹部７０ｂに支持されている。スタンプ２４は、気体用容器２５の頂部と接触する。
【００６６】
押しボタンを指Ｆ（図８を参照されたい）で作動させた場合、スタンプ２４はバネ２４のスプリング力に抗して押圧され、それと共に容器２５も押圧されて、概略的にのみ示されているように、バルブ２７を開放し、気体を容器２５から離れて中間底部１４の開口部１２に流れ、凹部１３（図７、８に破線で示されている）を通り、そして中空の配管９を通って、分配開口部８に移動する。押しボタン２１が容器２５内の内部の図示しないバネまたは挿入体１０に配置される復帰手段（同様に図示せず）によって開放状態とされた後、容器２５は最初の位置に戻る（図７を参照されたい）。
【００６７】
流量調節手段３０として機能する薄膜を、受取部２から中空の配管９にかけての移動領域に配置する。膜は、輸送装置２０が作動されないときに中空の配管９を塞ぎ、一方、膜は、輸送装置２０が作動されたときに気体の流れによって持ち上げられる（図８）。膜を、分配開口部８からの吸引によっても持ち上げることができる。かかる膜３０は、その他の阻止手段が含まれない場合、特に液体を投与する場合に特に有効である。
【００６８】
Ｏリングとして設計される封止手段３２が、下側環状溝１１において挿入体１０の外側壁部と受取部２の内側壁部の間で中空の配管９の真上に設けられている。この封止手段により、投与すべき気体（図７、８）または液体（図１０、１１）の、受取部２の上部への浸透を防いでいる。
【００６９】
図１０および１１は、液体の投与に関する例示を示している。このために、図７、８による装置を用いるのが好ましいが、別の第１の閉鎖部１７０および別の挿入体１１０（本実施例のように一体に設計される）を用いた装置が好ましい。挿入体１１０は、ここでもまた実質的に円筒形に設計され、図９に示された挿入体と同様に、中間底部１１４、中央開口部１１２および下側凹部１１３を備えている。さらに、破線で示されている開口部１１６が、挿入体１１０の上側領域に設けられて、液体の物質Ｓを挿入体の内側チャンバーに注いでいる。
【００７０】
図１０、１１による実施の形態において、実質的に伸長された円筒体１２８がスタンプの代わりに設けられている。円筒体１２８は、その両端部の内の一方をロッド１２２に接続され、ロッドの一部がバネ１２３により負荷が掛けられる押しボタン１２１に固定されている（図７、８を参照されたい）。円周側の構造体１２８ａは、円筒体１２８の他端側の領域に設けられている。
【００７１】
これと対称的に、円筒体１２８の自由末端１２８ｂは、ここでも広く形成され、中間底部１１４の開口部１１２より僅かに大きい直径を有している。自由末端１２８ｂを円錐形に設計して、押しボタン１２１が作動されない場合に開口部１１２の良好な封止を確保することができる（図１０を参照されたい）。したがって、円筒体１２８は、気体用のバルブ２７に類似する流量調節手段が図７、８と一致するように設計されるバルブを構成する。
【００７２】
図１０、１１による装置を用いるために、挿入体１１０（閉鎖部１７０、押しボタン１２１、円筒体１２８を含む）が、押しボタン１２１を作動させていない間に受取部２から取り出された場合、液体の物質Ｓは、開口部１１１６により挿入体１１０の内側チャンバーに充填される。その後、挿入体１１０は受取部２に挿入され、閉鎖部１７０がネジ留めした。それから、分配開口部８を子供の口に導入し、そして押しボタン１２１を押下する。そして、物質Ｓが構造体１２８ａと開口部１１２の間の開口環状スロットを通って流れ、子供が吸うことができる。あるいは、またはさらに、装置全体を傾かせて、物質Ｓが分配開口部８に流れることができるようにすることも可能である。したがって、本実施の形態によってでさえ、上述の膜３０も同様に必ずしも必要としないように、バルブの効果を用いることができる。図７および８と、図１０および１１１による２つの実施の形態の差異は、押しボタン１２１が作動されるよりむしろ、開口部１１２のみが液体を開放状態とするときに、後者の図１０および１１の実施の形態の場合、、液体の物質Ｓが積極的に輸送されない点にある。
【００７３】
図１２による実施の形態において、円筒状の挿入体３５が受取部２に載置される。さらに、第２の挿入体３７が、分配開口部８から分配部４の中空の配管４に押し込まれている。第２の挿入体３７は、分配部４に面する端部に外側スレッド（筋）を備え、このスレッドは、第１の挿入体３５の下側領域３９の対応の内側スレッドにねじ込まれている。その他の種類の接続であっても良く、例えば、プラグ接続または差し込み接続が可能である。投与すべき物質は、ここでは、交換可能な第１および第２の挿入体３５、３７と接触するだけとする。受取部２及び／又は分配部４の閉鎖部並びに輸送装置は、示されていない。
【００７４】
図１３は、特に、果肉質の食物Ｓを投与するために設計された他の実施の形態を示している。上述と同様の装置１を用いることができる。しかしながら、第１の閉鎖部２７０に組み込まれるピストン２２４を備える輸送装置２４０がここでは設けられ、ピストンはピストンロッド２２２に固定され、ピストンロッド２２２の他の自由末端が閉鎖部２７０を超えて延在し且つバネ２２３による荷重が掛けられる押しボタン２２１に固定される。投与する場合、果肉が受取部２に載置され、閉鎖部２７０を載置し；ゴム質のリング２７０ａを安全のために設ける。押しボタン２２１をゆっくり押下することによって、ピストン２２４を下方に移動させ、果肉質の物質Ｓを圧搾して、中空の配管９により分配開口部に押し出す。
【００７５】
投与すべき物質と接触させる図示の構成要素の表面は、耐食物性の材料から作製され、または耐食物性の被膜を有しているのが好ましい。適当なプラスチック、ガラス、磁器、高細粒スチールおよびアルミニウムがこのために適当である。装置は、耐洗浄機性に設計されるのが好ましい。
【００７６】
本発明は、図に示された実施の形態に限定されるものではない。例えば、１以上の受取部及び／又は１以上の分配部を設けることも可能である。複数の中空の配管および複数の分配開口部を設けることも可能である。
【００７７】
したがって、本発明の装置により、液体、気体または粉末状の薬剤および食物（子供のパンがゆおよびその他の濃厚な食べ物を含む）を、簡易で且つ子供に特に適当な方法で分配（施与）することが可能となる。
【図面の簡単な説明】
【００７８】
【図１】本発明による装置の図を示している。
【図２】本発明による装置の図を示している。
【図３】本発明による装置の図を示している。
【図４】本発明による装置の図を示している。
【図５】本発明の装置の部分断面についての側面図および斜視図を示している。
【図６】本発明の装置の部分断面についての側面図および斜視図を示している。
【図７】挿入体に挿入される気体容器と輸送装置を備える本発明による装置の一部についての断面図を示している（非稼働状態）。
【図８】挿入体に挿入される気体容器と輸送装置を備える本発明による装置の一部についての断面図を示している（稼働状態）。
【図９】図７および図８による挿入体を示している。
【図１０】挿入体に挿入される液体の物質と、輸送装置を含む本発明による装置の一部の断面を示している（非稼働状態）。
【図１１】挿入体に挿入される液体の物質と、輸送装置を含む本発明による装置の一部の断面を示している（稼働状態）。
【図１２】受取部に用いる挿入体と、分配部に用いる挿入体を備える本発明による装置の一部の断面を示している。
【図１３】ピストンを取り囲む輸送装置を備える本発明による装置の一部の断面を示している。
【図１】
2005527265.tif 000003
【図２】
2005527265.tif 000004
【図３】
2005527265.tif 000005
【図４】
2005527265.tif 000006
【図５】
2005527265.tif 000007
【図６】
2005527265.tif 000008
【図７】
2005527265.tif 000009
【図８】
2005527265.tif 000010
【図９】
2005527265.tif 000011
【図１０】
2005527265.tif 000012
【図１１】
2005527265.tif 000013
【図１２】
2005527265.tif 000014
【図１３】
2005527265.tif 000015
【手続補正書】
【提出日】平成16年2月2日(2004.2.2)
【手続補正１】
【補正対象書類名】特許請求の範囲
【補正対象項目名】全文
【補正方法】変更
【補正の内容】
【特許請求の範囲】
【請求項１】
流動性の物質または粉末状の物質（Ｓ）を人に対して投与または摂取し、特に医薬物質及び／又は食物を子供に対して投与または摂取するために用いられ、
投与すべき物質（Ｓ）を受け取る受取部（２）と、
該受取部（２）に連結され、物質（Ｓ）を人に分配する分配開口部（８）を備えた分配部（４）と、を有し、
当該装置（１）の少なくとも一部に、当該投与に機能的に直接関連せず、動物、漫画の人物または空想創造物の外観に対応した外部形状を設けた装置であって、
物質（Ｓ）および該物質を含む容器（２５）が充填され、または挿入されている第１の挿入体（１０；１１０；３５）が受取部（２）に挿入され、
分配部（４）に挿入され、これにより物質（Ｓ）を分配開口部（８）に移す第２の挿入体（３７）が設けられ、そして
第１の挿入体（３５）および第２の挿入体（３７）が相互に非ポジティブに且つ分離可能に接続されたことを特徴とする装置。
【請求項２】
非ポジティブ接続がクランプ接続、プラグ接続、スクリュウ接続または差し込み接続である請求項１に記載の装置。
【請求項３】
流動性の物質または粉末状の物質（Ｓ）を人に対して投与または摂取し、特に医薬物質及び／又は食物を子供に対して投与または摂取するために用いられ、
投与すべき物質（Ｓ）を受け取る受取部（２）と、
該受取部（２）に連結され、物質（Ｓ）を人に分配する分配開口部（８）を備えた分配部（４）と、を有し、
当該装置（１）の少なくとも一部に当該投与に機能的に直接関連せず、動物、漫画の人物または空想創造物の外観に対応した外部形状を設け、
受取部（２）を閉鎖する第１の閉鎖部（７；７０；１７０；２７０）が設けられ、
分配開口部（８）を閉鎖する第２の閉鎖部（５）が設けられている請求項１または２に記載の装置であって、
第１の閉鎖部（７；７０；１７０；２７０）および第２の閉鎖部（５）は、受取部（２）および分配開口部（８）を可逆的に閉鎖するように構成されていることを特徴とする装置。
【請求項４】
第１の閉鎖部及び／又は第２の閉鎖部（７；７０；１７０；２７０；５）は、蓋、栓、移動可能な閉鎖装置として、または自己閉鎖装置として構成されている請求項３に記載の装置。
【請求項５】
第１の閉鎖部および第２の閉鎖部（７；７０；１７０；２７０；５）はそれぞれ第２の閉鎖部および第１の閉鎖部（５；７）に組み込まれている請求項３または４に記載の装置。
【請求項６】
第１の閉鎖部及び／又は第２の閉鎖部（７；７０；１７０；２７０；５）並びに挿入体（１１）または容器は、相互に接続可能に、または一体に構成されている請求項３〜５のいずれか１項に記載の装置。
【請求項７】
流動性の物質または粉末状の物質（Ｓ）を人に対して投与または摂取し、特に医薬物質及び／又は食物を子供に対して投与または摂取するために用いられ、
投与すべき物質（Ｓ）を受け取る受取部（２）と、
該受取部（２）に連結され、物質（Ｓ）を人に分配する分配開口部（８）を備えた分配部（４）と、を有し、
当該装置（１）の少なくとも一部に当該投与に機能的に直接関連せず、動物、漫画の人物または空想創造物の外観に対応した外部形状を設けた装置であって、
分配部（４）は、受取部（２）と分配開口部（８）を相互に接続する中空の配管（９）を備え、
当該装置（１）が水平面上に載置された場合に残留液体が流出するのを防ぐために、中空の配管（９）は、分配開口部（８）に対して少なくとも部分的に上方に向かって延在していることを特徴とする請求項１〜６のいずれか１項に記載の装置。
【請求項８】
動物、漫画の人物または空想創造物の四肢及び／又はその他の本体部品は、当該装置（１）を容易に掴んで、しっかりと保持できるように形成されている請求項１〜７のいずれか１項に記載の装置。
【請求項９】
分配開口部（８）は、動物、漫画の人物または空想創造物の一部である請求項１〜８のいずれか１項に記載の装置。
【請求項１０】
分配開口部（８）は、人の口（Ｍ）に導入されるように構成され、人の唇は分配開口部（８）を取り囲む請求項１〜９のいずれか１項に記載の装置。
【請求項１１】
分配部（４）の分配開口部（８）と、受取部（２）への物質（Ｓ）、挿入体（１０；１１０；３５）及び／又は容器（２５）を導入するための受取部（２）の受取開口部（６）とは同一でない請求項１〜１０のいずれか１項に記載の容器。
【請求項１２】
受取部（２）及び／又は分配部（４）は、実質的に外側から認識できないように装置に配置されている請求項１〜１１のいずれか１項に記載の装置。
【請求項１３】
受取部（２）および分配部（４）は、一体に構成されている請求項１〜１２のいずれか１項に記載の装置。
【請求項１４】
受取部（２）、分配部（４）および外部形状を含む当該装置の一部は、一体に構成されている請求項１３に記載の装置。
【請求項１５】
受取部（２）および分配部（４）は別個に部品として構成されている請求項１〜１２のいずれか１項に記載の装置。
【請求項１６】
受取部（２）および分配部（４）は、相互に非ポジティブに接続され、特にクランプ接続、プラグ接続、スクリュウ接続または差し込み接続されている請求項１５に記載の装置。
【請求項１７】
受取部（２）および分配部（４）は、これらを実質的に取り囲むプラスチックによって、好ましくは射出成形法、ブロー成形法または回転成形法を用いてポジティブまたは非ポジティブに接続されている請求項１３〜１５のいずれか１項に記載の装置。
【請求項１８】
物質（Ｓ）と接触する装置の表面は、耐食物性材料から構成されている請求項１〜１７のいずれか１項に記載の装置。
【請求項１９】
受取部（２）、分配部（４）、及び／又は該受取部（２）及び／又は分配部（４）に用いる１個以上の挿入体（１０；１１０；３５、３７）は、下記の材料：ガラス、磁器、アルミニウム、細粒スチール、プラスチックのいずれか１種から作製される請求項１〜１８のいずれか１項に記載の装置。
【請求項２０】
外部形状を含む装置の構成要素は、下記の材料：プラスチック、セルロース、セラミック材料、木材、細粒スチール、アルミニウムのいずれか１種から実質的に作製されている請求項１〜１９のいずれか１項に記載の装置。
【請求項２１】
閉鎖容器（２５）中に収納される液体並びに気体の物質（Ｓ）を投与することができるように構成されている請求項１１〜２０のいずれか１項に記載の装置。
【請求項２２】
受取部（２）を種々の閉鎖部で閉鎖し、そのうち、一の閉鎖部（１７０；２７０）を液体の物質（Ｓ）の分配に用い、他の閉鎖部（７０）を、受取部（２）に挿入されている挿入体（１１０；３５）または容器（２５）から得られる気体の物質（Ｓ）の分配に用いる請求項１１〜２１のいずれか１項に記載の装置。
【請求項２３】
物質（Ｓ）を受取部（２）、挿入体（１１０；３５）及び／又は容器（２５）から分配開口部（８）に輸送する輸送装置（２０；２２０）が設けられている請求項１１〜２２のいずれか１項に記載の装置。
【請求項２４】
輸送装置（２０；２２０）は、スタンプ（２４）またはピストン（２２４）を含むポンプ機構を備えている請求項２３に記載の装置。
【請求項２５】
輸送装置（２０；２２０）は、少なくとも部分的に第１の閉鎖部または第２の閉鎖部（７；７０；１７０；２７０；５）に組み込まれている請求項３、請求項２３または２４に記載の装置。
【請求項２６】
輸送装置（２０；２２０）を、受取部（２）に導入される容器（２５）または挿入体（１１０；３５）と連結し、容器（２５）または挿入体（１１０；３５）から得られる物質を輸送装置（２０；２２０）の稼働時に、そこで開放された流入孔（１２；１１２）、次いで分配開口部（８）を介して投与する請求項２３〜２５のいずれか１項に記載の装置。
【請求項２７】
受取部（２）の壁部は、圧縮によって物質（Ｓ）を少なくとも部分的に分配開口部（８）に輸送可能な弾性をもって構成されている請求項２３〜２６のいずれか１項に記載の装置。
【請求項２８】
分配開口部（８）からの物質の望まない排出を防ぐ流量調節手段（３０；２７；１２８）が装置内に設けられている請求項１〜２７のいずれか１項に記載の装置。
【請求項２９】
流量調節手段（３０）は、物質の分配方向に圧力及び／又は吸引によって開口する請求項２８に記載の装置。
【請求項３０】
流量調節手段（３０）は、圧力及び／又は吸引によって偏向可能な薄膜として構成され、好ましくは中空の配管（９）に配置されている請求項２８または２９に記載の装置。
【請求項３１】
流量調節手段（３０；２７；１２８）は、手動での作動によって開放可能なバルブ（２７，１２８）によって形成されている請求項２８または２９に記載の装置。
【請求項３２】
投与すべき物質を挿入体（１０；１１０）または容器（２５）から分配開口部（８）に誘導する封止手段（３２）が設けられている請求項１１〜３１のいずれか１項に記載の装置。
【請求項３３】
封止手段（３２）は、受取部（２）の内壁および挿入体（１０；１１０）または容器（２５）の外壁上に設けられたＯリングとして構成されている請求項３２に記載の装置。
【請求項３４】
受取部（２）または該受取部（２）に挿入される挿入体（１０；１１０；３５）または容器に、当該容器（１）が水平面に設置された場合、上方から物質（Ｓ）が充填される請求項１１〜３３のいずれか１項に記載の装置。
【請求項３５】
針部または過圧によって物質（Ｓ）を注入するための射出装置が分配開口部（８）近傍に設けられている請求項１〜３４のいずれか１項に記載の装置。
【請求項３６】
再利用可能であり、且つ耐洗浄機性を示す請求項１〜３５のいずれか１項に記載の装置。
【手続補正２】
【補正対象書類名】明細書
【補正対象項目名】全文
【補正方法】変更
【補正の内容】
【書類名】  明細書
【技術分野】
【０００１】
本発明は、流動性の物質または粉末状の物質を人に対して投与または摂取し、特に医薬物質及び／又は食物を子供に投与または摂取するための装置に関する。
【背景技術】
【０００２】
流動性の物質を投与し、または摂取するのは多くの方法で行うことができる。例えば、液状の医薬品の経口投与の場合、一般家庭のスプーンまたは計量カップが用いられる。これらの装置は、極めて機能的な性質を有している。肝油または医薬品等の苦みのある物質の場合、両親または医療従事者は、子供に薬剤を摂取させるのが屡々困難である。気体またはエーロゾルの状態の薬剤または注射剤であっても、同様に困難である。これに関して、子供に対して正しく行う必要があり、且つ教育学的に価値ある投与方法が不足している。例えば、パンがゆまたはその他の食料品を子供に食べさせることでさえ、種々の性質に基づき、屡々極めて困難である。
【発明の開示】
本発明の目的は、簡易な手段で流動物または粉末状の物質の人、特に子供に対する投与を改良することにある。
【０００３】
上記課題は、独立項の請求項１（第１発明）、請求項３（第２発明）および請求項７（第３発明）の特徴によって解決された。
【０００４】
受取部は、物質を直接的または間接的に受け取ることができる。後者の例に関して、受取部が物質を受け取るための挿入部または容器を受け入れ可能であるか、または容器（この中に物質が含まれている）を受け取るための挿入体を受け入れ可能であることを意味している。
【０００５】
したがって、第１発明では、投与すべき物質および該物質を含む容器を受け入れることができる第１の挿入体が受取部に挿入されている。また、第２の挿入体が分配部に挿入され、これを通って物質を分配開口部に移すことができる。これらの実施の形態において、受取部および分配部は、装置に常時組み込まれているのが好ましく、一方、第１の挿入体および第２の挿入体は交換可能であり、これにより、装置の管理を容易にする。例えば、種々の挿入体を投与すべき種々の物質に用いることができる。挿入体の洗浄が必要な場合、装置全体を洗浄する必要は必ずしもない。第１の挿入体及び／又は第２の挿入体が損傷を受けたときでさえ、これらを交換するだけでよい。
【０００６】
第１の挿入体および第２の挿入体は、相互に非ポジティブに接続され、特にクランプ接続、プラグ接続、スクリュウ接続または差し込み接続されている。
【０００７】
第２発明によると、受取部は、可逆的に閉鎖可能な方法の第１の閉鎖部を具備するように設計され構成されている。第１の閉鎖部は、特に受取開口部または受取部の充填開口部を閉鎖可能であり、これにより、物質或いは該物質を含む挿入体または容器（受取部または適当に設計された挿入体に導入するために設けられている）は、流れることができず、または装置から脱離することができない。同様に、本発明は、分配開口部を可逆的に閉鎖可能な第２の閉鎖部を設けている。これにより、装置に依然として含まれる流体の流出を有効に防ぐことができる。別の投与時に、第２の閉鎖部を再び取り除くことができる。
【０００８】
第１及び／又は第２の閉鎖部は、蓋、栓、移動可能な閉鎖装置として、または自己閉鎖装置として設計されるのが好ましい。例えば、蓋に装着することができる。第１または第２の閉鎖部は、ボタンまたはスイッチ等の作動によって交互に開放及び／又は閉鎖することができる。閉鎖部は、球形または矩形の形、或いはその他の適当な形を有することができる。おしゃぶり等として設計することも可能である。
【０００９】
上記の受取部の受取開口部は、分配部の分配開口部と同一であっても良く、第１および第２の閉鎖部も同様に同一であっても良い。
【００１０】
第１の閉鎖部及び／又は第２の閉鎖部を第２の閉鎖部及び／又は第１の閉鎖部に組み込むことができる。例えば、第１の閉鎖部をネジ止め可能な蓋として構成可能であり、これに、例えば移動可能または回転可能な第２の閉鎖部を組み込み（一体に形成し）、分配開口部を開放および閉鎖する。かかる構成は、例えば、子供用の市販の飲料ボトルにより知られている。
【００１１】
更に、第１の閉鎖部及び／又は第２の閉鎖部並びに挿入体または容器を相互に接続することができ、例えば、相互にプラグ接続して、かかる組み合わせを受取部または分配部に装置全体として導入することができる。或いは、第１または第２の分配部および挿入体または容器を一体に設計する。
【００１２】
第３発明によれば、分配部が受取部と分配部を相互に接続する中空の配管を具備する場合、装置の外側立体形状について複数の形状を展開することができる。本発明の装置が象の形状を有する場合、例えば、中空の配管を象の鼻に設けることができる。これは、中空の配管が、受取部に挿入可能な挿入体及び／又は容器の間と、分配開口部の間との接続を確立する実施の形態を包含する。
【００１３】
第３発明によれば、装置からの残留液体の流出を防ぐために、中空の配管は、装置が水平面上に載置される場合、分配開口部に対して少なくとも断面を上方に向かって延在するように設計される。この例において、分配開口部の前面に直接配置される少なくとも導管部がこの上方に向かった経路を有している可能性がある。この導管部が水平に対して数度の僅かな上昇を有していれば十分である。液体の物質を用いる場合、残留量の物質は、前方で漏れ、または滴下することができない。
【００１４】
装置は、受取部とこの受取部に連結される分配部とを有し、少なくとも一部が直接機能的に構成されていない立体構造の装置を本発明により組み合わせることによって利用可能に作製され、且つ当該装置は、特に液体、気体及び／又は粉末またはエーロゾルの状態の医薬生成物の投与に一般に適している。特に子供に対して魅力的な形状の装置を設計して構成する場合、子供が装置を意図的なものと認めない、すなわち、彼等にとって良好でない味のする物質の投与に直接的に結び付けられないように、抑制限界とこの種の物質または食物の摂取に対する抵抗を下げて、装置に対して子供を感情的に結び付けることができる。
【００１５】
物質の口径投与に変わるものとして、装置を、例えばインスリンまたはワクチンの注射（注入）に用いることもできる。この例示の場合、注入装置が針部または過圧によって物質を注入するための分配開口部近傍に設けられる場合に有利である。
【００１６】
少なくとも一部に子供に対して魅力的な形状を有する装置を設計するのが特に有効である。この例として、動物の形で設計する。特に、小さな子供は、所定の動物の形、例えば象、熊、キリンおよび猿に対して強く引きつけられると感ずる。したがって、動物の世界に由来する形状を選択するのが重要である。その代わりに、漫画の人物または空想創造物の外観、例えばミッキーマウス、ドナルドダッグ、テレタビー等の知られた形を用いることも可能である。果物、モデルカー等の形の形状も可能である。
【００１７】
かかる形状が装置を容易に掴み、そしてしっかりと保持するようにする構成要素を有している場合、疑わしい物質の簡易な投与を促進する。特に好ましい実施の形態において、動物、漫画の人物または空想創造物の四肢及び／又はその他の本体部品がこのために役立つことがある。例えば、動物を用いる場合、大人または子供自身が動物の二本の足もしくは首の領域を掴むことができる。
【００１８】
分配開口部は当該人の口に導入されるように設計されるのが特に好ましい。特に、子供の場合、分配開口部と直接接触することにより、抑制限界の克服を促進することができる。子供の唇が分配開口部を取り囲むことができる場合、一方で、有効な吸引反射作用（suction reflex）を利用することができ、他方で、清潔で、滴の落ちない投与を可能にする。例えば、分配開口部を、象の鼻または動物の鼻として設計することができる。しかしながら、本発明の装置を注入のために設計する場合でさえ、分配開口部を、動物、漫画の人物または空想創造物の本体部により形成して、注入（注射）に対する子供の不安を低減することができる。
【００１９】
一方で、物質を分配し、他方で、物質を受け取り、そして導入するための開口部、該受取部への挿入体及び／又は容器は、同一でないのが特に好ましい。かかる設計（構成）により、良好な取り扱いを促進する。なぜなら、挿入体及び／又は容器は、例えば比較的広い受取開口部を介して簡易な方法で受取部に導入可能であるのに対し、投与は狭い分配開口部を介して行うことができるからである。この例示において、以下にさらに詳細に説明されるように、大人によって物質を簡易且つ正確に投与することができる。他方で、同一の受取開口部および分配開口部の変形体は、一般に、容易に作製される。
【００２０】
機能面が視覚面および感情に訴える部分より大きく隠れ、そして装置が分配装置よりむしろ玩具として認識されるようにするため、受取部または分配部、特にこれらの両方が実質的に外側から認識できないのが特に好ましい。
【００２１】
本発明の有利な実施の形態において、受取部および分配部は、一体に設計されるので、特に容易に作製される。これにより、これらの受取部および分配部の間に存在するであろう接続部で析出物が形成するのを防ぐ。
【００２２】
あるいは、これらの二部（受取部、分配部）は、相互に非ポジティブに接続され、特にクランプ接続、プラグ接続、スクリュウ接続または差し込み接続で接続され得る別個の部品（構成要素）として設計される。したがって、残りの装置部品を適当に設計することにより、例えば、損傷、過度の汚染等を受けた場合に、装置全体を廃棄する必要なく、必要によりこれらの二部を相互に分離し、そして別々に、または同時に、交換することができる。
【００２３】
受取部および分配部は、これらを実質的に完全に取り囲む（例えば、物質を充填し、そして分配するための開口部、容器または挿入体を挿入するための開口部等を除く）プラスチックでポジティブに、そして非ポジティブに接続され、且つプラスチックは、射出成形法、ブロー成形法または回転成形法でこれらの二部の周囲に施される。道具に対してネガティブなのは、本発明の装置の立体形状に有利に対応する。
【００２４】
本発明の代わりの変形体において、受取部、分配部および外部形状を含む装置の一部は、概して一体に（一構成要素で）設計される。この極端で且つ最も簡易な場合において、本発明の装置は、以下にさらに説明されるであろう挿入体及び／又は閉鎖部を無視できる場合に、僅かに１種類の構成要素から構成することができる。この例示の場合、受取部および分配部を装置の内壁から形成する。
【００２５】
その他に、装置は、中空の本体部として実質的に設計され、この中で受取部および分配部が、例えば、吊り下げられ、または把持される。中空の本体部は、例えば、実質的に剛体に、または膨張性に設計することができる。
【００２６】
投与すべき物質と接触させる装置の表面を耐食物性に構成するのが有利であり、好ましい。したがって、物質が直接充填される受取部、並びに分配部及び／又は１以上の、受取部及び／又は分配部のための挿入体に、耐食物性材料の適当な接触面が少なくとも設けられている。この目的のために、好適な被覆（法）を用いることができる。あるいは、固体の材料を用いることができ、例えば、ガラス、磁器及び／又は適当なプラスチックを用いることができる。アルミニウムまたは高細粒スチールも使用することができる。
【００２７】
しかしながら、装置全体では、１種以上の上述の材料から作製されることも可能である。
【００２８】
あるいは、物質と接触させない装置要素（装置材料）は、完全に耐食物性ではない材料から構成され、例えば、適当なプラスチック、セルロース、セラミック材料、木材等から構成される；しかしながら、細粒スチールおよびアルミニウムを含む金属を用いることも可能である。外部形状を有する装置部品は、投与すべき物質との適当な接触をしない限り、これらの材料から実質的に作製されるのが特に有利である。
【００２９】
本発明の装置は、液体並びに気体の物質の投与のために設計されるのが特に好ましい。このために、受取部を種々の閉鎖部で閉鎖可能であり、この場合、一の閉鎖部を液体物質の分配に用い、他の閉鎖部を、受取部に挿入される気密容器から得られる気体物質の分配に有利に用いることができる。さらに、液体を投与する場合、受取部に直接的に配置するか、または交換可能な挿入体も容器に配置することも可能であり、一方、気体容器に配置されて、投与すべき気体の物質を、適当に採用される挿入体に導入するか、または受取部に直接導入することができる。
【００３０】
本発明の装置は、使用者によって積極的に作動させるときに、投与すべき物質を分配開口部に輸送する輸送装置を備えるのが好ましい。さらに、特に最も多い例示として医薬品を投与する場合、分配すべき量を正確に服用させる必要がある。したがって、輸送装置で適当に服用させることができる。
【００３１】
これに関して有効である本発明の実施の形態において、輸送は、ポンプ機構によって具現化可能である。かかる機構は、例えば、喘息患者によって用いられる吸入用器具として知られている。
【００３２】
例えば果肉質の食べ物を投与する場合、輸送装置は、特に受取部内で移動可能であり、手動で操作可能なピストンとして設計可能である。
【００３３】
受取部の壁部が軟質に設計されたことにより、圧力によって適当な負荷がかけられ、好ましくは指で力を働かせるときに、投与すべき物質が、分配開口部を介して受取部から漏れ出るような場合、その他のポンプ機構を実現可能である。
【００３４】
有利な実施の形態において、輸送装置を少なくとも部分的に第１の閉鎖部に組み込む。例えば、稼働要素が第１閉鎖要素を通り越して延在し、そして稼働要素を押下して、物質を投与することができる。かかる動作時に、受取部に挿入される容器の一部または容器全体を下方に移動させて、好ましくは容器の底部に在る開口部を開放し、これを通って、エーロゾルが容器から出て行くことができ、そして分配開口部を介して口径投与される。かかるポンプ機構に、一般に公知の種々の構造（物）を用いることができる。これに関して、例えば、喘息用の薬剤についての上述の摂取のために用いられる公知のエーロゾル容器が特記に値する。
【００３５】
あるいは、またはさらに、装置に配置される少なくとも１種の流量調節手段を設けて、分配開口部からの物質の望まない流出を防止する。かかる流量調節手段は、本発明の好ましい実施の形態において、圧力及び／又は吸引によって開口されて、物質を分配開口部の方向に流すことができる。圧力または吸引の作用がない場合、流量調節手段は、物質の分配を妨げる。例えば、分配開口部を口に導入し、その後に、吸い込むことによって吸引作用を利用することができる。圧力による負荷は、例えば、上述のポンプ機構によって実現可能である。
【００３６】
本発明の特定の実施の形態において、流量調節手段は、圧力及び／又は吸引によって偏向され、そして好ましくは中空の配管に配置され得る薄膜（軟質の板状のようなもの）に設計される。この膜は、例えば、一方側からフライス削りによって中空の配管を作製し、そして他方の側から受取部を作製する間に、これら二部の間の分離要素（分離構成要素）として、手を付けられない状態とすることができる。
【００３７】
あるいは、特に手動によって動作可能な流量調節手段を実現可能であり、例えば、中空の配管を妨害可能である、例えばスライド（スベリ弁）が可能である。同様に、流量調節手段は、上述の輸送装置に組み合わせることも可能である。輸送装置を作動させる場合、例えば、バルブを開放することができる。
【００３８】
投与すべき物質が受取部の望まない位置に移動するのを防ぐ封止手段（シール手段）を設けることも有効である。かかる位置は、物質が受取部の壁部と直接接触しないように挿入体または容器を使用する場合、特に受取部に存在し得る。その後、物質が最短の通路を介して分配開口部に移動し、そして受取部に配送されないか、またはひび（引っ掻き傷）に漏れないようにすることを保証するのが目的である。したがって、例えば一方で、受取部の内壁上に在り、他方で、挿入体または容器の外壁上に設けられたＯリングを使用するのが有効である。
【００３９】
装置を操縦する簡易な手段は、装置が水平面上に載置されるときに受取部またはこれに挿入される容器もしくは挿入体に上方から物質を充填可することができる場合、実現可能である。
【００４０】
装置全体を耐洗浄機性で且つ再利用可能に設計するのが特に有利である。これは、一方で、装置の簡易な操作と洗浄を保証する。他方で、特定の形または装置に対する子供の永久的な感情の結びつきを発展させることができる。
【００４１】
受取部、分配部として、及び／又はこれらの装置の挿入体として設計可能である上述の交換部材は、本発明の別の側面を示している。閉鎖部でさえ、交換可能な部品またはさらに別の部品もしくは付属品として設計可能である。損傷を受け、または人目につかない場合、上述の部品を取り除き、装置全体を捨てる必要なく新たな挿入体と交換することができる。
【００４２】
同様に、医薬物質及び／又は食物を子供に対して投与するのに用いられる上述の装置の使用法は、本発明の構成要素である。
【００４３】
本発明のその他の有効な実施の形態は、サブクレームの特徴によって特徴付けられる。
【００４４】
本発明を、以下の図面を用いてさらに詳細に説明する。
【００４５】
図１〜図４は、本発明による装置の種々の図を示している。
【００４６】
図５、図６は、本発明の装置の部分断面についての側面図および斜視図を示している。
【００４７】
図７、図８は、挿入体に挿入される気体容器と輸送装置を備える本発明による装置の一部についての断面図を示している（非稼働状態：図７；稼働状態：図８）。
【００４８】
図９は、図７および図８による挿入体を示している。
【００４９】
図１０、図１１は、挿入体に挿入される液体の物質と、輸送装置を含む本発明による装置の一部の断面を示している（非稼働状態：図１０；稼働状態：図１１）。
【００５０】
図１２は、受取部に用いる挿入体と、分配部に用いる挿入体を備える本発明による装置の一部の断面を示している。
【００５１】
図１３は、ピストンを取り囲む輸送装置を備える本発明による装置の一部の断面を示している。
【００５２】
図１〜図４は、座っている象の外観を有する種々の観点から見た本発明による装置１を示している。図１において、装置１は、手によって掴まれているように示されており、手の指により、象の前足１９ａと、首および耳の領域１９ｂを掴んでいる。図３に概略的に示され、実質的に円筒形に設計された受取部２が、象の頭の領域に配置されている。実質的に水平の中空の配管９は、受取部２の下側領域から出発して、象の鼻の中を延在し、そしてその自由末端に分配開口部８を設けている。受取部２の上側領域の受取開口部６は、第１の閉鎖部７で可逆的に閉鎖可能である。閉鎖部７を取り除くと、受取部２に、液体の物質を充填することができる。あるいは、気体容器を受取部２に挿入し、これに、適当に設計された装着装置３を設ける（概略的に示してあるだけである）。
【００５３】
輸送装置２０を第１の閉鎖部７に組み込み、これを用いて装置は、所定量の物質を受取部またはこれに挿入される容器から中空の配管９および分配開口部８を介して投与することができる。分配開口部８の前面に直接配置される中空の配管部９ａは、装置１が水平面上に載置された場合に斜めの方向に延在して、物質が装置１から流出及び／又は落下するのを防いでいる。
【００５４】
図３は、本発明による特に好ましい実施の形態により、口径投与が行えることを概略的に示したものである。図示の例において、子供は象の鼻１９ｃを子供の口Ｍに取り込むと共に、概略的に示されている子供の唇は、分配開口部を含む象の鼻１９ｃを取り囲む。必要により、投与中に装置１を顔の方に向けて傾かせて、特に液体の物質を完全に口Ｍに移動させることができる。
【００５５】
図５および図６に示されている装置１は、図１〜４の形態とほぼ同様の形態に設計されている。第１の閉鎖部７は、シールリング７ａをその周囲の底部に備え、そのリングは、受取部２の受取開口部６をシールし、そして閉鎖部７に信頼性のあるシールを与えている。第２の閉鎖部５がおしゃぶりとして設計され、バンド、鎖等として設計される紛失防止具５ａ（本実施の形態において首ひも）によって象の本体に接続されている。
【００５６】
第１及び／又は第２の閉鎖部７、５は、受取開口部６または分配開口部８の領域に外側ネジ切りまたは内側ネジ切りにねじ込むことができる内側または外側のネジ留め部を備えている。その他の閉鎖部も可能であり、例えば、移動し、係合し、またはその他の動作で閉鎖および開放可能な閉鎖部である。
【００５７】
受取部２および分配部４は、図５、図６に示されている具体的な実施の形態により一体に設計され、耐食物性材料、好ましくは適当なプラスチック、高細粒スチールまたはアルミニウムから有利に作製される。あるいは、受取部２および分配部４の内側表面に、耐食物材料の被膜を形成することも可能である。
【００５８】
プラスチック材料１７を、受取部２および分配部４の周囲にポジティブに且つ非ポジティブに配置する。プラスチック１７は、本発明の装置１の外観を有する、すなわち、本例示における象の玩具の外観を有する。プラスチック１７は、射出成形法、ブロー成形法または回転成形法によって受取部２および分配部４の周囲に施されるのが好ましい。比較的軟質なプラスチックを用いて、象のような形の装置が明かとなり、子供の感情に良好に訴えるようにするのが好ましい。
【００５９】
図７および８は、本発明による装置の断面を示し、象の形に設計され、気体の物質８を投与するために用いられる。実質的に円筒状の挿入体１０が受取部２に挿入され、この中に、実質的に挿入体と同様の円筒形の気体用容器２５が載置される。投与すべき物質Ｓ、例えばエーロゾルは、気体用容器２５に閉じ込められる。さらに、輸送装置２０が第１の閉鎖部７０に組み込まれて、物質Ｓを積極的に、必要により正確な服用量で投与することができる。第１の閉鎖部は、受取部２の上側縁部に示されているところにネジ留めされる（概略的に示されているだけである）。
【００６０】
図９は、挿入体１０を正確に示したものである。頂部を開放して、容器２５を挿入可能にする。さらに、挿入体１０は、挿入体１０の下側縁部１５のちょうど上側に中間底部１４を備えている。この中間底部１４は、有利に低くされている中央の開口部１２を含んでいる（この低くされた開口部１２を有する中間底部１４は、図３に概略的にのみ示されている装着装置３に対応する）。凹部１３が、中間底部１４と下側縁部１５の間の壁部に設けられている。さらに、挿入体１０の縦方向に間隔おいて設けられ、内方に向いている２個の環状溝１１が、中間底部１４の上側に設けられている（図７、８を参照されたい；明瞭化のため図９において省略されている）。
【００６１】
気体用容器２５は、好ましくは市販されている気体またはエーロゾルが充填され、例えば喘息用噴霧器で充填されるものであり、挿入体１０に挿入されるように設計されている。容器２５の下側縁部２６は、円周側で広くされて、挿入体１０の２個の環状溝１０の内径より僅かに広くなっている。したがって、容器２５は、僅かな力を施して、挿入体１０の内側および外側に挿入されて（および取り除かれて）、広くされた縁部２６が上側の環状溝１１により規定される狭い箇所に耐えることができるようにする必要がある。その後、容器２５は挿入体１０に供給されて、そこで、容器２５の自由な活動範囲は２個の環状溝１１の間隔によって軸方向に与えられる。容器２５は、中央バルブ２７を底部に備え、加圧下に開放し、そして気体物質Ｓを漏れ出ることができるようにする。バルブ２７は、容器２５が挿入されたときに、中央で且つ中間底部１４の開口部１２の上側に配置される。
【００６２】
上述の輸送装置２０を設けて、物質Ｓを投与する。図７、８による具体的な実施の形態において、輸送装置２０は、他方の自由末端がスタンプ２４に固定されているロッド２２に接続される押しボタン２１を備えている。ロッド２２は、第１の閉鎖部７０の中央凹部に延在し、螺旋状のバネ２３によって上部で取り囲まれている。バネ２３は、押しボタン２１に対して下側からの圧力を作用させるために働き、そして閉鎖部７０の凹部７０ｂに支持されている。スタンプ２４は、気体用容器２５の頂部と接触する。
【００６３】
押しボタンを指Ｆ（図８を参照されたい）で作動させた場合、スタンプ２４はバネ２４のスプリング力に抗して押圧され、それと共に容器２５も押圧されて、概略的にのみ示されているように、バルブ２７を開放し、気体を容器２５から離れて中間底部１４の開口部１２に流れ、凹部１３（図７、８に破線で示されている）を通り、そして中空の配管９を通って、分配開口部８に移動する。押しボタン２１が容器２５内の内部の図示しないバネまたは挿入体１０に配置される復帰手段（同様に図示せず）によって開放状態とされた後、容器２５は最初の位置に戻る（図７を参照されたい）。
【００６４】
流量調節手段３０として機能する薄膜を、受取部２から中空の配管９にかけての移動領域に配置する。膜は、輸送装置２０が作動されないときに中空の配管９を塞ぎ、一方、膜は、輸送装置２０が作動されたときに気体の流れによって持ち上げられる（図８）。膜を、分配開口部８からの吸引によっても持ち上げることができる。かかる膜３０は、その他の阻止手段が含まれない場合、特に液体を投与する場合に特に有効である。
【００６５】
Ｏリングとして設計される封止手段３２が、下側環状溝１１において挿入体１０の外側壁部と受取部２の内側壁部の間で中空の配管９の真上に設けられている。この封止手段により、投与すべき気体（図７、８）または液体（図１０、１１）の、受取部２の上部への浸透を防いでいる。
【００６６】
図１０および１１は、液体の投与に関する例示を示している。このために、図７、８による装置を用いるのが好ましいが、別の第１の閉鎖部１７０および別の挿入体１１０（本実施例のように一体に設計される）を用いた装置が好ましい。挿入体１１０は、ここでもまた実質的に円筒形に設計され、図９に示された挿入体と同様に、中間底部１１４、中央開口部１１２および下側凹部１１３を備えている。さらに、破線で示されている開口部１１６が、挿入体１１０の上側領域に設けられて、液体の物質Ｓを挿入体の内側チャンバーに注いでいる。
【００６７】
図１０、１１による実施の形態において、実質的に伸長された円筒体１２８がスタンプの代わりに設けられている。円筒体１２８は、その両端部の内の一方をロッド１２２に接続され、ロッドの一部がバネ１２３により負荷が掛けられる押しボタン１２１に固定されている（図７、８を参照されたい）。円周側の構造体１２８ａは、円筒体１２８の他端側の領域に設けられている。
【００６８】
これと対称的に、円筒体１２８の自由末端１２８ｂは、ここでも広く形成され、中間底部１１４の開口部１１２より僅かに大きい直径を有している。自由末端１２８ｂを円錐形に設計して、押しボタン１２１が作動されない場合に開口部１１２の良好な封止を確保することができる（図１０を参照されたい）。したがって、円筒体１２８は、気体用のバルブ２７に類似する流量調節手段が図７、８と一致するように設計されるバルブを構成する。
【００６９】
図１０、１１による装置を用いるために、挿入体１１０（閉鎖部１７０、押しボタン１２１、円筒体１２８を含む）が、押しボタン１２１を作動させていない間に受取部２から取り出された場合、液体の物質Ｓは、開口部１１１６により挿入体１１０の内側チャンバーに充填される。その後、挿入体１１０は受取部２に挿入され、閉鎖部１７０がネジ留めした。それから、分配開口部８を子供の口に導入し、そして押しボタン１２１を押下する。そして、物質Ｓが構造体１２８ａと開口部１１２の間の開口環状スロットを通って流れ、子供が吸うことができる。あるいは、またはさらに、装置全体を傾かせて、物質Ｓが分配開口部８に流れることができるようにすることも可能である。したがって、本実施の形態によってでさえ、上述の膜３０も同様に必ずしも必要としないように、バルブの効果を用いることができる。図７および８と、図１０および１１１による２つの実施の形態の差異は、押しボタン１２１が作動されるよりむしろ、開口部１１２のみが液体を開放状態とするときに、後者の図１０および１１の実施の形態の場合、、液体の物質Ｓが積極的に輸送されない点にある。
【００７０】
図１２による実施の形態において、円筒状の挿入体３５が受取部２に載置される。さらに、第２の挿入体３７が、分配開口部８から分配部４の中空の配管４に押し込まれている。第２の挿入体３７は、分配部４に面する端部に外側スレッド（筋）を備え、このスレッドは、第１の挿入体３５の下側領域３９の対応の内側スレッドにねじ込まれている。その他の種類の接続であっても良く、例えば、プラグ接続または差し込み接続が可能である。投与すべき物質は、ここでは、交換可能な第１および第２の挿入体３５、３７と接触するだけとする。受取部２及び／又は分配部４の閉鎖部並びに輸送装置は、示されていない。
【００７１】
図１３は、特に、果肉質の食物Ｓを投与するために設計された他の実施の形態を示している。上述と同様の装置１を用いることができる。しかしながら、第１の閉鎖部２７０に組み込まれるピストン２２４を備える輸送装置２４０がここでは設けられ、ピストンはピストンロッド２２２に固定され、ピストンロッド２２２の他の自由末端が閉鎖部２７０を超えて延在し且つバネ２２３による荷重が掛けられる押しボタン２２１に固定される。投与する場合、果肉が受取部２に載置され、閉鎖部２７０を載置し；ゴム質のリング２７０ａを安全のために設ける。押しボタン２２１をゆっくり押下することによって、ピストン２２４を下方に移動させ、果肉質の物質Ｓを圧搾して、中空の配管９により分配開口部に押し出す。
【００７２】
投与すべき物質と接触させる図示の構成要素の表面は、耐食物性の材料から作製され、または耐食物性の被膜を有しているのが好ましい。適当なプラスチック、ガラス、磁器、高細粒スチールおよびアルミニウムがこのために適当である。装置は、耐洗浄機性に設計されるのが好ましい。
【００７３】
本発明は、図に示された実施の形態に限定されるものではない。例えば、１以上の受取部及び／又は１以上の分配部を設けることも可能である。複数の中空の配管および複数の分配開口部を設けることも可能である。
【００７４】
したがって、本発明の装置により、液体、気体または粉末状の薬剤および食物（子供のパンがゆおよびその他の濃厚な食べ物を含む）を、簡易で且つ子供に特に適当な方法で分配（施与）することが可能となる。
【図面の簡単な説明】
【００７５】
【図１】本発明による装置の図を示している。
【図２】本発明による装置の図を示している。
【図３】本発明による装置の図を示している。
【図４】本発明による装置の図を示している。
【図５】本発明の装置の部分断面についての側面図および斜視図を示している。
【図６】本発明の装置の部分断面についての側面図および斜視図を示している。
【図７】挿入体に挿入される気体容器と輸送装置を備える本発明による装置の一部についての断面図を示している（非稼働状態）。
【図８】挿入体に挿入される気体容器と輸送装置を備える本発明による装置の一部についての断面図を示している（稼働状態）。
【図９】図７および図８による挿入体を示している。
【図１０】挿入体に挿入される液体の物質と、輸送装置を含む本発明による装置の一部の断面を示している（非稼働状態）。
【図１１】挿入体に挿入される液体の物質と、輸送装置を含む本発明による装置の一部の断面を示している（稼働状態）。
【図１２】受取部に用いる挿入体と、分配部に用いる挿入体を備える本発明による装置の一部の断面を示している。
【図１３】ピストンを取り囲む輸送装置を備える本発明による装置の一部の断面を示している。


【国際調査報告】
2005527265.tif 000016
2005527265.tif 000017
2005527265.tif 000018
2005527265.tif 000019
2005527265.tif 000020
2005527265.tif 000021
2005527265.tif 000022
2005527265.tif 000023
2005527265.tif 000024
2005527265.tif 000025
2005527265.tif 000026
2005527265.tif 000027